【手続補正書】
【提出日】令和3年12月2日(2021.12.2)
【手続補正１】
【補正対象書類名】特許請求の範囲
【補正対象項目名】全文
【補正方法】変更
【補正の内容】
【特許請求の範囲】
【請求項１】
外科用器具に駆動信号を供給する制御コンソールであって、
一次巻線及び二次巻線を備える変圧器であって、該一次巻線は、電源から入力信号を受信するように、かつ、前記外科用器具に前記駆動信号を供給するように前記二次巻線に該駆動信号を誘導するように構成されている、変圧器と、
前記駆動信号の経路に結合された漏れ制御巻線を備える第１の電流源であって、前記一次巻線は、前記漏れ制御巻線において、前記駆動信号の漏れ電流の第１の部分を相殺するように該駆動信号の前記経路内に注入すべき第１の相殺電流を誘導するように構成されている、第１の電流源と、
前記駆動信号の前記経路に結合されたセンサであって、前記漏れ電流に関連するフィードバックを提供するように検知信号を出力するように構成されている、センサと、
前記駆動信号の前記経路にかつ前記センサに結合された第２の電流源であって、前記検知信号を受信するように、かつ、該検知信号に基づいて前記漏れ電流の残留部分を相殺するように前記駆動信号の前記経路内に注入すべき第２の相殺電流を決定するように構成されている、第２の電流源と
を備えてなる、制御コンソール。
【請求項２】
前記一次巻線、前記漏れ制御巻線及び前記二次巻線は、まとまって、前記漏れ制御巻線と前記二次巻線との間に静電容量を発生させるように構成されている、請求項１に記載の制御コンソール。
【請求項３】
前記第２の電流源はまた前記電源によって通電される、請求項１又は２に記載の制御コンソール。
【請求項４】
前記第２の電流源は、目標値を受信するように、かつ、前記検知信号及び前記目標値に基づき前記漏れ電流の前記残留部分を相殺するように前記駆動信号の前記経路内に注入すべき前記第２の相殺電流を決定するように構成されている、請求項１〜３のいずれか一項に記載の制御コンソール。
【請求項５】
前記第２の電流源は、前記センサに結合された利得デバイスを備え、該利得デバイスは、前記検知信号と前記目標値との差を求めるように、かつ、該差に基づいて前記第２の相殺電流を決定するように構成されている、請求項４に記載の制御コンソール。
【請求項６】
前記第２の電流源は、前記利得デバイスに結合されたコンデンサを更に備え、該コンデンサは、前記第２の相殺電流のＤＣ成分を遮断するように構成されている、請求項５に記載の制御コンソール。
【請求項７】
前記センサは、前記駆動信号の電流を検知し、該駆動信号の該電流を前記検知信号として出力するように構成されている、請求項１〜６のいずれか一項に記載の制御コンソール。
【請求項８】
前記センサは、前記駆動信号のコモンモード電流を検知するように、かつ、該駆動信号の該コモンモード電流を前記第２の電流源によって受信された前記検知信号として出力するように構成されており、前記コモンモード電流は前記駆動信号の前記漏れ電流に関連する、請求項１〜７のいずれか一項に記載の制御コンソール。
【請求項９】
前記駆動信号の前記経路は、高電圧側導体及び低電圧側導体を備え、前記センサは、前記高電圧側導体及び前記低電圧側導体の双方の周囲に配置された変圧器巻線として画定され、該変圧器巻線は、前記駆動信号の前記コモンモード電流を出力するように構成されている、請求項８に記載の制御コンソール。
【請求項１０】
前記駆動信号の前記経路は、高電圧側導体及び低電圧側導体を備え、前記センサは、前記低電圧側導体に結合され、該低電圧側導体からの電圧を検知するように、かつ、該電圧を前記第２の電流源によって受信された前記検知信号として出力するように構成されている、請求項１〜６のいずれか一項に記載の制御コンソール。
【請求項１１】
前記センサはコンデンサである、請求項１〜１０のいずれか一項に記載の制御コンソール。
【請求項１２】
前記第２の電流源は、前記低電圧側導体内に前記第２の相殺電流を注入するように構成されている、請求項９又は１０に記載の制御コンソール。
【請求項１３】
前記制御コンソールは、
前記センサに結合され、前記検知信号を受信するように、かつ、前記漏れ電流に関連する障害状態の検出に応答する障害検出信号を発生させるように構成されている障害検出段と、
前記障害検出段に結合され、該障害検出段から前記障害検出信号を受信し、該障害検出段から受信した該障害検出信号に基づき前記障害状態を判断し、該障害状態の判断に応じて前記外科用器具に対する電力を低減させるか又は打ち切るように構成された、コントローラと
を更に備える、請求項１〜１２のいずれか一項に記載の制御コンソール。
【請求項１４】
外科用器具に駆動信号を供給する制御コンソールであって、
一次巻線及び二次巻線を備える変圧器であって、該一次巻線は、電源から入力信号を受信するように、かつ、前記外科用器具に前記駆動信号を供給するように前記二次巻線に該駆動信号を誘導するように構成されている、変圧器と、
前記駆動信号の経路に結合された漏れ制御巻線を備える第１の電流源であって、前記一次巻線は、前記漏れ制御巻線において、前記駆動信号の漏れ電流を相殺するように該駆動信号の前記経路内に注入すべき第１の相殺電流を誘導するように構成されている、第１の電流源と、
前記入力信号の特徴を検知するように、かつ、該入力信号の該特徴に関連する検知信号を出力するように構成されたセンサと、
前記駆動信号の前記経路に結合された第２の電流源と、
前記センサにかつ前記第２の電流源に結合された可変利得デバイスと、
前記第２の電流源にかつ前記可変利得デバイスに結合され、複数の漏れ電流調整設定のうちの１つの選択を可能にするように、かつ、前記選択された漏れ電流調整設定を前記可変利得デバイスに提供するように構成されている選択インタフェースと
を備えてなり、
前記可変利得デバイスは、前記検知信号を受信するように、かつ、前記選択された漏れ電流調整設定に基づいて前記検知信号を変更するように構成されており、
前記第２の電流源は、前記可変利得デバイスからの前記変更された検知信号に基づいて第２の相殺電流を発生させるように、かつ、前記駆動信号の漏れ電流を相殺するように前記駆動信号の前記経路に前記第２の相殺電流を注入するように構成されている、制御コンソール。
【請求項１５】
前記センサは変圧器巻線である、請求項１４に記載の制御コンソール。
【請求項１６】
前記選択インタフェースはポテンショメータである、請求項１４又は１５に記載の制御コンソール。
【請求項１７】
外科用器具に駆動信号を供給する制御コンソールであって、
可変電源と、
一次巻線及び二次巻線を備える変圧器であって、該一次巻線は、前記可変電源に結合され、該可変電源から入力信号を受信するように、かつ、前記外科用器具に前記駆動信号を供給するように前記二次巻線において駆動信号を誘導するように構成されている、変圧器と、
前記駆動信号の経路に結合され、前記駆動信号の漏れ電流に関連する検知信号を出力するように構成されたセンサと、
前記駆動信号の前記経路、前記センサ、及び前記可変電源に結合された電流源であって、前記可変電源は該電流源に通電するように構成され、該電流源は、前記検知信号及び目標値を入力として受信し、該検知信号と該目標値との差を求め、該差に基づき、前記駆動信号の前記漏れ電流を相殺するように該駆動信号の前記経路内に注入すべき相殺電流を発生させるように構成されている、電流源と
を備えてなる、制御コンソール。
【請求項１８】
前記電流源は、前記センサに結合された利得デバイスを備え、該利得デバイスは、前記検知信号及び前記目標値を入力として受信し、前記検知信号と前記目標値との前記差を求め、かつ、該差に基づいて前記相殺電流を決定するように構成されている、請求項１７に記載の制御コンソール。
【請求項１９】
前記制御コンソールは、
前記入力信号の特徴を検知するように、かつ、該入力信号の該特徴に関連する検知信号を出力するように構成されたセンサと、
前記センサにかつ前記電流源に結合された可変利得デバイスと、
前記電流源にかつ前記可変利得デバイスに結合され、複数の漏れ電流調整設定のうちの１つの選択を可能にするように、かつ、前記選択された漏れ電流調整設定を前記可変利得デバイスに提供するように構成されている選択インタフェースと
を更に備え、
前記可変利得デバイスは、前記検知信号を受信するように、かつ、前記選択された漏れ電流調整設定に基づいて前記検知信号を変更するように構成されており、
前記電流源は、前記可変利得デバイスからの前記変更された検知信号に基づいて前記相殺電流を発生させるように構成されている、請求項１７又は１８に記載の制御コンソール。
【請求項２０】
前記可変電源は、前記目標値に対する供給源に通電し、前記可変電源は、ＡＣ値に加えてＤＣオフセットを含む前記目標値を提供するように構成されている、請求項１７〜１９のいずれか一項に記載の制御コンソール。